【手続補正書】
【提出日】平成27年10月6日(2015.10.6)
【手続補正１】
【補正対象書類名】特許請求の範囲
【補正対象項目名】全文
【補正方法】変更
【補正の内容】
【特許請求の範囲】
【請求項１】
データストレージ装置であって、
プロセッサと、
該プロセッサに接続され、非マッピングデータブロックのリザーブスペーステーブルを記憶する第１のデータストレージデバイスと、
前記プロセッサに接続された第２のデータストレージデバイスと
を備え、
前記第１のデータストレージデバイスが、前記第２のデータストレージデバイスよりも高速なアクセス時間を有し、
前記リザーブスペーステーブルが、前記第１のデータストレージデバイスの個別部分と、前記第２のデータストレージデバイスの個別部分とを特定するように構成され、
前記プロセッサが、
前記第２のデータストレージデバイスの個別部分から、前記リザーブスペーステーブル内に特定された前記第１のデータストレージデバイスの個別部分へデータを転送し、
前記第２のデータストレージデバイスの前記個別部分の位置を前記リザーブスペーステーブルへ追加し、
前記第１のデータストレージデバイスの前記個別部分の位置を前記リザーブスペーステーブルから除去し、
前記第１のデータストレージデバイスの複数の個別部分から前記第２のデータストレージデバイスの複数の個別部分へデータを転送し、
前記第１のデータストレージデバイスの前記複数の個別部分の各々にそれぞれ関連付けされた複数の位置を前記リザーブスペーステーブルへ追加し、
前記第２のデータストレージデバイスの前記複数の個別部分の各々にそれぞれ関連付けされた複数の位置を前記リザーブスペーステーブルから除去するように構成されている、データストレージ装置。
【請求項２】
前記プロセッサがさらに、前記第１のデータストレージデバイス及び前記第２のデータストレージデバイス間で、前記リザーブスペーステーブル内の位置の分布をモニタするよう構成されている、請求項１に記載のデータストレージ装置。
【請求項３】
前記第１のデータストレージデバイスが、１又は複数のソリッドステートドライブを備えている、請求項１に記載のデータストレージ装置。
【請求項４】
前記第２のデータストレージデバイスが、１又は複数のハードディスクドライブを備える、請求項１に記載のデータストレージ装置。
【請求項５】
前記プロセッサがさらに、前記リザーブスペーステーブル内に特定されたあらゆる位置へのデータアクセス動作を禁止するよう構成されている、請求項１に記載のデータストレージ装置。
【請求項６】
データストレージ装置であって、
プロセッサと、
該プロセッサに接続され、非マッピングデータブロックのリザーブスペーステーブルを記憶するように構成された第１のデータストレージデバイスと、
前記プロセッサに接続された第２のデータストレージデバイスと
を備え、
前記第１のデータストレージデバイスが、前記第２のデータストレージデバイスよりも高速なアクセス時間を有し、
前記リザーブスペーステーブルが、前記第１のデータストレージデバイスの個別部分と、前記第２のデータストレージデバイスの個別部分とを特定するように構成され、
前記プロセッサが、
前記第２のデータストレージデバイスの個別部分から、前記リザーブスペーステーブル内に特定された前記第１のデータストレージデバイスの個別部分へデータを転送し、
前記第２のデータストレージデバイスの前記個別部分を前記リザーブスペーステーブルへ追加し、
前記第１のデータストレージデバイスの前記個別部分を前記リザーブスペーステーブルから除去する
ように構成されている、データストレージ装置。
【請求項７】
前記プロセッサがさらに、前記第１のデータストレージデバイス及び前記第２のデータストレージデバイス間で、前記リザーブスペーステーブル内の位置の分布をモニタするよう構成されている、請求項６に記載のデータストレージ装置。
【請求項８】
前記プロセッサがさらに、
前記リザーブスペーステーブル内の位置の分布が所定の閾値を超えたときに、前記第１のデータストレージデバイスの複数の個別部分から前記第２のデータストレージデバイスの複数の個別部分へデータを転送し、
前記第１のデータストレージデバイスの前記複数の個別部分の各々にそれぞれ関連付けされた複数の位置を前記リザーブスペーステーブルへ追加し、
前記第２のデータストレージデバイスの前記複数の個別部分の各々にそれぞれ関連付けされた複数の位置を前記リザーブスペーステーブルから除去する
ように構成されている、請求項７に記載のデータストレージ装置。
【請求項９】
前記閾値が、前記リザーブスペーステーブル内に特定された、前記第２のデータストレージデバイス上の位置を参照する全ての位置の８０パーセントである、請求項８に記載のデータストレージ装置。
【請求項１０】
前記プロセッサがさらに、システム使用メトリックをモニタするように構成される、請求項６に記載のデータストレージ装置。
【請求項１１】
前記プロセッサがさらに、
前記システム使用メトリックが所定の閾値を下回るときに、前記第１のデータストレージデバイスの複数の個別部分から前記第２のデータストレージデバイスの複数の個別部分へデータを転送し、
前記第１のデータストレージデバイスの前記複数の個別部分の各々にそれぞれ関連付けされた複数の位置を前記リザーブスペーステーブルへ追加し、
前記第２のデータストレージデバイスの前記複数の個別部分の各々にそれぞれ関連付けされた複数の位置を前記リザーブスペーステーブルから除去する
ように構成されている、請求項１０に記載のデータストレージ装置。
【請求項１２】
前記第１のデータストレージデバイスが、１又は複数のソリッドステートドライブを備える、請求項６に記載のデータストレージ装置。
【請求項１３】
前記第２のデータストレージデバイスが、１又は複数のハードディスクドライブを備える、請求項６に記載のデータストレージ装置。
【請求項１４】
前記プロセッサがさらに、前記リザーブスペーステーブル内に特定されたあらゆる位置へのデータアクセス動作を禁止するよう構成されている、請求項６に記載のデータストレージ装置。
【請求項１５】
データストレージシステムの階層間でデータを移行する方法であって、
低速データストレージデバイスの個別部分から高速データストレージデバイスの個別部分へデータを転送するステップと、
前記低速データストレージデバイスの前記個別部分を非マッピングデータブロックのリザーブスペーステーブルへ追加するステップと、
前記高速データストレージデバイスの前記個別部分を前記リザーブスペーステーブルから除去するステップと
を含む、データストレージシステムの階層間でデータを移行する方法。
【請求項１６】
前記低速データストレージデバイス及び前記高速データストレージデバイス間で、前記リザーブスペーステーブル内の位置の分布をモニタするステップを更に含む、請求項１５に記載の方法。
【請求項１７】
前記リザーブスペーステーブル内の位置の分布が所定の閾値を超えたときに、前記高速データストレージデバイスの複数の個別部分から前記低速データストレージデバイスの複数の個別部分へデータを転送するステップと、
前記高速データストレージデバイスの前記複数の個別部分の各々にそれぞれ関連付けされた複数の位置を前記リザーブスペーステーブルへ追加するステップと、
前記低速データストレージデバイスの複数の個別部分の各々にそれぞれ関連付けされた複数の位置を前記リザーブスペーステーブルから除去するステップと
を更に含む、請求項１６に記載の方法。
【請求項１８】
前記閾値が、前記リザーブスペーステーブル内に特定された、前記低速データストレージデバイス上の位置を参照する全ての位置の８０パーセントである、請求項１７に記載の方法。
【請求項１９】
前記高速データストレージデバイスが、１又は複数のソリッドステートドライブを備える、請求項１５に記載の方法。
【請求項２０】
前記リザーブスペーステーブル内に特定されたあらゆる位置へのデータアクセス動作を禁止するステップを更に含む、請求項１５に記載の方法。